(57)【要約】【課題】延設ブロックを付加した錠であっても、操作軸の摘み部を押すのみ或いはスライドさせるのみの簡単な操作で、キーの変換操作を容易に行うことができるキー変換式錠を提供する。【解決手段】延設ブロック１０内に軸用凹部１１及び操作軸用凹部１２が形成される。軸用凹部１１には連結軸１５が挿入され、カバー体１７を連結軸１５の上から軸用凹部１１に嵌め込み、連結軸１５が回動可能に保持される。操作軸用凹部１２に操作軸１８が軸方向に摺動可能に嵌め込まれる。操作軸１８の先端近傍に、操作軸１８の押圧によって操作ノブの移動方向である軸と直角方向に移動する作動部材１９が設けられる。作動部材１９には延設ブロック１０から突出して操作ノブと係合可能な係合凸部１９ａが設けられ、操作軸１８の末端には延設ブロック１０から背面側に突出する摘み部１８ｂが設けられる。【選択図】図５
2015093084.tif 000002
【特許請求の範囲】
【請求項１】
末端にフランジ部を設けた外筒と、該外筒の内側に回動可能に嵌挿された内筒と、該内筒の端部近傍に該内筒と係合可能に該外筒の内側に配設された錠軸と、を備えてなる変換式錠本体を、延設ブロックの先端部に取り付けたキー変換式錠であって、
該変換式錠本体の該内筒と外筒には各々複数の貫通孔が軸方向と直角に、該内筒の貫通孔と外筒の貫通孔が各々連通可能な対応位置に穿設され、該内筒と錠軸間にリセット用貫通孔が穿設され、該リセット用貫通孔にはリセットピンが錠軸と内筒を係合させるために挿入され、該リセットピンの係合を解除させるために操作ノブが該変換式錠本体の末端に移動可能に設けられ、該内筒と外筒の複数の貫通孔には、各々ドライブピンとコード設定用スペーサとベースピンがコイルばねにより付勢されて挿入され、
該変換式錠本体のフランジ部の背面に該延設ブロックが固定され、該延設ブロックの末端部に取付孔を有した取付フランジが設けられ、
該延設ブロック内には軸用凹部が形成されるとともに、該軸用凹部に隣接して操作軸用凹部が形成され、
該軸用凹部には連結軸が挿入され、カバー体を該連結軸の上から該軸用凹部に嵌め込むことにより、該連結軸が回動可能に保持され、
該操作軸用凹部には操作軸が軸方向に摺動可能に嵌め込まれるとともに、該操作軸の先端近傍に、該操作軸を先端側に押圧摺動させたとき、該先端の押圧によって前記操作ノブの操作方向に動く作動部材が設けられ、
該作動部材には該延設ブロックから突出して該操作ノブと係合可能な係合凸部が設けられ、該操作軸の末端には該延設ブロックから背面側に突出する摘み部が設けられ、
該摘み部を押し込むことにより、該操作軸を軸方向に摺動させ、該作動部材を動かして、キー変換のためのリセットを行うことを特徴とするキー変換式錠。
【請求項２】
前記作動部材は前記延設ブロックの一部に回動可能に軸支され、前記操作軸の先端が該作動部材にリンク結合され、該操作軸を押圧摺動したとき、該作動部材が該係合凸部を前記操作ノブの操作方向に動かすように回動し、該操作軸には戻し方向に付勢する戻しばねが設けられたことを特徴とする請求項１記載のキー変換式錠。
【請求項３】
前記操作軸の先端に傾斜面が設けられるとともに、前記作動部材には該傾斜面が当接する傾斜部が設けられ、該操作軸を押圧摺動したとき、該作動部材は該係合凸部を前記操作ノブの操作方向に動かすように摺動し、該作動部材には該作動部材を戻し方向に付勢する戻しばねが設けられたことを特徴とする請求項１記載のキー変換式錠。
【請求項４】
末端にフランジ部を設けた外筒と、該外筒の内側に回動可能に嵌挿された内筒と、該内筒の端部近傍に該内筒と係合可能に該外筒の内側に配設された錠軸と、を備えてなる変換式錠本体を、延設ブロックの先端部に取り付けたキー変換式錠であって、
該変換式錠本体の該内筒と外筒には各々複数の貫通孔が軸方向と直角に、該内筒の貫通孔と外筒の貫通孔が各々連通可能な対応位置に穿設され、該内筒と錠軸間にリセット用貫通孔が穿設され、該リセット用貫通孔にはリセットピンが錠軸と内筒を係合させるために挿入され、該リセットピンの係合を解除させるために操作ノブが該変換式錠本体の末端に移動可能に設けられ、該内筒と外筒の複数の貫通孔には、各々ドライブピンとコード設定用スペーサとベースピンがコイルばねにより付勢されて挿入され、
該変換式錠本体のフランジ部の背面に該延設ブロックが固定され、該延設ブロックの末端部に取付孔を有した取付フランジが設けられ、
該延設ブロック内には軸用凹部が形成されるとともに、該軸用凹部に隣接して操作軸用凹部が形成され、
該軸用凹部には連結軸が挿入され、カバー体を該連結軸の上から該軸用凹部に嵌め込むことにより、該連結軸が回動可能に保持され、
該操作軸用凹部には操作軸が中間部の支軸を介して揺動可能に軸支され、該操作軸の先端側に作動部材が該延設ブロックに対し揺動可能に軸支され、該操作軸の先端が該作動部材にリンク結合され、
該作動部材には該延設ブロックから突出して該操作ノブと係合可能な係合凸部が設けられ、該操作軸の末端には該延設ブロックから背面側に突出する摘み部が設けられ、
該操作軸には戻し方向に付勢する戻しばねが設けられ、
該摘み部のスライド操作により、該操作軸が該支軸を軸に揺動し、該作動部材が揺動して該係合凸部が該操作ノブを動かし、キー変換のためのリセットを行うことを特徴とするキー変換式錠。
【請求項５】
前記延設ブロックは、前記フランジ部が固定されるフランジ取付部と施錠装置の被取付面に固定される取付フランジとを金属板により略コ字状に曲折して形成されたブロック外本体と、該ブロック外本体内に嵌着される合成樹脂製のブロック内本体とを備え、該ブロック外本体のフランジ取付部には、フランジ部を固定するための取付孔が設けられ、該取付フランジには該被取付部に固定するために取付孔が設けられ、該ブロック内本体には前記軸用凹部及び前記操作軸用凹部を設けたことを特徴とする請求項１または４記載のキー変換式錠。
【請求項６】
前記変換式錠本体の内筒の鍵穴に鍵を挿入して該内筒を回動操作したとき、該内筒を元の位置に戻す方向に付勢するトーションばねが、前記連結軸に外嵌されたことを特徴とする請求項１または４記載のキー変換式錠。
【請求項７】
前記連結軸の先端に異形断面を有する連結部が設けられ、前記変換式錠本体の錠軸の先端に、異形断面の連結穴を有する連結部材が嵌着され、該連結軸の先端の連結部が該連結部材の連結穴に嵌合し、該連結軸が該錠軸に連結されたことを特徴とする請求項１または４記載のキー変換式錠。
【発明の詳細な説明】
【技術分野】
【０００１】
本発明は、スロットマシン、パチンコ機等のゲーム機用施錠装置に使用され、キーコードを変更して解錠キーを変換可能なキー変換式錠に関する。
【背景技術】
【０００２】
従来、パチンコ機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム板が取り付けられた構成の施錠装置が使用されている。
【０００３】
この種の施錠装置は、前面枠の内側に取り付けられ、本体枠内の対応位置には鉤部材が係止される受け金具が取り付けられる。そして、施錠状態において、解錠キーをシリンダ錠に挿入して回すと、その錠軸に取り付けられたカム板が可動し、その回動時にカム板が連結杆に係合してそれを上または下に摺動させ、連結杆の移動により上下の鉤部材が傾動して、本体枠側に設けた受け金具との係合が外れ、解錠される。
【０００４】
この種のパチンコ機用施錠装置には、シリンダ錠として、解錠キーを変換可能なキー変換式錠が装着される場合が多く、キー変換式錠は、その外観形状を通常のシリンダ錠と同じ形状に形成され、キー変換式錠の背面側には、キー変換操作時に操作するためのリセットピン用の操作ノブが設けられている。
【０００５】
キー変換式錠は、概略的には、通常のシリンダ錠と同様な大きさの円筒形の外筒と、その外筒の内側に回動可能に嵌挿された内筒と、その内筒の先端に係合可能に取り付けられた出力軸と、を備えて構成され、内筒と外筒には各々複数の貫通孔が軸方向と直角に、内筒の貫通孔と外筒の貫通孔は各々連通可能な位置に穿設される。そして、内筒と出力軸間にリセット用貫通孔が穿設され、リセット用貫通孔にはリセットピンが出力軸と内筒を係合させるために操作ノブによりに移動可能に挿入される。また、内筒と外筒の複数の貫通孔には、各々ドライブピンとコード設定用のスペーサとベースピンがコイルばねにより内側に付勢されて挿入されている。
【０００６】
キーを変換する際には、現状の解錠キーを鍵穴に挿入し、リセット用の操作ノブを押した状態で、そのキーを１８０度回し、そのキーを鍵穴から抜く。次に、新たなキーを鍵穴に挿入して、元の位置に戻すようにキーを１８０度回動する。この操作により、内筒と外筒の各貫通孔に位置するコード設定用のスペーサの数が前のコードから変わり、錠はその解錠用のキーコードが新たなキーのためのコードに変更され、錠の解錠キーは新たなキーに変換される。
【０００７】
ところで、上記のキー変換式錠は、一般的なシリンダ錠と同様の大きさと形状をもって大量生産されているところ、近年のパチンコ機やスロットマシンにおいては、施錠装置を取り付ける前面枠または前扉の厚さが、高い装飾的機能を有するように、従来のものより厚く形成される傾向にある。
【０００８】
このため、従来の汎用のシリンダ錠と同様な大きさのキー変換式錠では、施錠装置の基枠体の取付板の正面側に、そのまま取り付けた場合、キー変換式錠の長さが扉の厚さに比べ短いために、施錠装置を前面枠または前扉の内側に取り付けた場合、鍵穴の位置が前面枠（前扉）の表面に現われない。そこで、キー変換式錠の鍵穴面から錠軸先端までの長さを長くするように、カバーと連結軸を錠に組み付けた構造のものが検討された。
【０００９】
しかし、キー変換式錠には、上記のように、キーの変換操作を行なう際に操作するリセットピン用の操作ノブが錠の背面に設けられているため、汎用のシリンダ錠と略同じ形状のキー変換式錠の背面側にカバーと連結軸を単純に組み付けただけでは、操作ノブがカバーによって隠れてしまい、キーの変換操作の際、リセットピン用の操作ノブの操作が難しい。
【先行技術文献】
【特許文献】
【００１０】
【特許文献１】特許第４５１６８７７号公報
【発明の概要】
【発明が解決しようとする課題】
【００１１】
そこで、本出願人は、上記特許文献１により、既存の変換式錠の鍵穴面から錠軸までの長さを長くして使用できると共に、延設ブロックに設けた操作軸をその軸の回りで回動操作してキーの変換操作を容易に行うことができるキー変換式錠を提案した。
【００１２】
このキー変換式錠は、延設ブロックの端部から露出する操作軸の先端を回動操作してキーの変換操作を行なうことができるものの、操作軸の小径の先端部を捻って変換操作する構造のため、操作の容易性に難点があり、変換操作を容易に行うことができるキー変換式錠が要望されていた。
【００１３】
本発明は、上記の点に鑑みてなされたもので、延設ブロックを付加した錠であっても、操作軸の摘み部を押すのみ或いはスライドさせるのみの簡単な操作で、キーの変換操作を容易に行うことができるキー変換式錠を提供することを目的とする。
【課題を解決するための手段】
【００１４】
上記目的を達成するために、本発明のキー変換式錠は、末端にフランジ部を設けた外筒と、該外筒の内側に回動可能に嵌挿された内筒と、該内筒の端部近傍に該内筒と係合可能に該外筒の内側に配設された錠軸と、を備えてなる変換式錠本体を、延設ブロックの先端部に取り付けたキー変換式錠であって、
該変換式錠本体の内筒と外筒には各々複数の貫通孔が軸方向と直角に、該内筒の貫通孔と外筒の貫通孔が各々連通可能な対応位置に穿設され、該内筒と錠軸間にリセット用貫通孔が穿設され、リセット用貫通孔にはリセットピンが錠軸と内筒を係合させるために挿入され、該リセットピンの係合を解除させるために操作ノブが変換式錠本体の末端に移動可能に設けられ、内筒と外筒の複数の貫通孔には、各々ドライブピンとコード設定用スペーサとベースピンがコイルばねにより付勢されて挿入され、
該変換式錠本体のフランジ部の背面に該延設ブロックが固定され、該延設ブロックの末端部にねじ孔を有した取付フランジが設けられ、
該延設ブロック内には軸用凹部が形成されるとともに、該軸用凹部に隣接して操作軸用凹部が形成され、
該軸用凹部に連結軸を挿入し、カバー体を該連結軸の上から該軸用凹部に嵌め込むことにより該連結軸が回動可能に保持され、
該操作軸用凹部には操作軸が軸方向に摺動可能に嵌め込まれるとともに、該操作軸の先端近傍に、該操作軸を先端側に押圧摺動させたとき、該先端の押圧によって前記操作ノブの操作方向に動く作動部材が設けられ、
該作動部材には該延設ブロックから突出して該操作ノブと係合可能な係合凸部が設けられ、該延設ブロックから背面側に突出する操作軸の末端に摘み部が設けられ、
該摘み部を押し込むことにより該操作軸を軸方向に摺動させ、該作動部材を動かして、キー変換のためのリセットを行うことを特徴とする。
【００１５】
この発明によれば、延設ブロックに設けた操作軸の摘み部を押すのみの簡単な操作で、容易にキー変換のためのリセットを行うことができる。
【００１６】
ここで、上記キー変換式錠において、上記作動部材は前記延設ブロックの一部に回動可能に軸支され、前記操作軸の先端が該作動部材にリンク結合され、該操作軸を押圧摺動したとき、該作動部材が該係合凸部を前記操作ノブの操作方向に動かすように回動し、該操作軸には戻し方向に付勢する戻しばねを設けることができる。
【００１７】
またここで、上記キー変換式錠において、上記操作軸の先端に傾斜面が設けられるとともに、上記作動部材には該傾斜面が当接する傾斜部が設けられ、該作動部材には該作動部材を戻し方向に付勢する戻しばねを設けることができる。
【００１８】
さらに、本発明の別のキー変換式錠は、末端にフランジ部を設けた外筒と、該外筒の内側に回動可能に嵌挿された内筒と、該内筒の端部近傍に該内筒と係合可能に該外筒の内側に配設された錠軸と、を備えてなる変換式錠本体を、延設ブロックの先端部に取り付けたキー変換式錠であって、
該変換式錠本体の該内筒と外筒には各々複数の貫通孔が軸方向と直角に、該内筒の貫通孔と外筒の貫通孔が各々連通可能な対応位置に穿設され、該内筒と錠軸間にリセット用貫通孔が穿設され、該リセット用貫通孔にはリセットピンが錠軸と内筒を係合させるために挿入され、該リセットピンの係合を解除させるために操作ノブが該変換式錠本体の末端に移動可能に設けられ、該内筒と外筒の複数の貫通孔には、各々ドライブピンとコード設定用スペーサとベースピンがコイルばねにより付勢されて挿入され、
該変換式錠本体のフランジ部の背面に該延設ブロックが固定され、該延設ブロックの末端部にねじ孔を有した取付フランジが設けられ、
該延設ブロック内には軸用凹部が形成されるとともに、該軸用凹部に隣接して操作軸用凹部が形成され、
該軸用凹部には連結軸が挿入され、カバー体を該連結軸の上から該軸用凹部に嵌め込むことにより、該連結軸が回動可能に保持され、
該操作軸用凹部には操作軸が中間部の支軸を介して揺動可能に軸支され、該操作軸の先端側に作動部材が該延設ブロックに対し回動可能に軸支され、該操作軸の先端が該作動部材にリンク結合され、
該作動部材には該延設ブロックから突出して該操作ノブと係合可能な係合凸部が設けられ、該操作軸の末端には該延設ブロックから背面側に突出する摘み部が設けられ、
該操作軸には戻し方向に付勢する戻しばねが設けられ、
該摘み部のスライド操作により、該操作軸が該支軸を軸に揺動し、該作動部材が揺動して該係合凸部が該操作ノブを動かし、キー変換のためのリセットを行うことを特徴とする。
【００１９】
ここで、上記キー変換式錠において、上記延設ブロックは、前記フランジ部が固定されるフランジ取付部と施錠装置の被取付部に固定される取付フランジとを金属板により略コ字状に曲折して形成されたブロック外本体と、該ブロック外本体内に嵌着される合成樹脂製のブロック内本体とを備え、該ブロック外本体のフランジ取付部には、フランジ部を固定するためのねじ孔が設けられ、該取付フランジには該被取付部に固定するためにねじ孔が設けられ、該ブロック内本体には上記軸用凹部及び上記操作軸用凹部を設けて構成することができる。
【００２０】
この発明によれば、延設ブロックのブロック外本体が略コ字状の金属板から形成されるので、フランジ部が固定されるフランジ取付部と施錠装置の被取付部に固定される取付フランジとを強固に形成して、不正行為などでシリンダ錠に加わる荷重に対する補強を充分に行なって、強固なキー変換式錠とすることができる。
【００２１】
また、上記キー変換式錠において、上記変換式錠本体の内筒の鍵穴に鍵を挿入して該内筒を回動操作したとき、該内筒を元の位置に戻す方向に付勢するトーションばねを、前記連結軸に外嵌させることができる。
【００２２】
また、上記キー変換式錠において、上記連結軸の先端に異形断面を有する連結部が設けられ、前記変換式錠本体の錠軸の先端に、異形断面の連結穴を有する連結部材が嵌着され、該連結軸の先端の連結部が該連結部材の連結穴に嵌合し、該連結軸を該錠軸に連結させることができる。
【発明の効果】
【００２３】
本発明のキー変換式錠によれば、延設ブロックを付加した錠であっても、操作軸の摘み部を押し或いはスライドさせるのみの簡単な操作で、キーの変換操作を容易に行うことができる。
【図面の簡単な説明】
【００２４】
【図１】本発明の一実施形態を示すキー変換式錠の正面図である。
【図２】同錠の左側面図である。
【図３】同錠の右側面図である。
【図４】同錠の背面図である。
【図５】同錠の底面図である。
【図６】（ａ）は正面側から見た斜視図、（ｂ）は背面側から見た斜視図である。
【図７】変換式錠本体、カバー体等を外した状態の分解斜視図である。
【図８】延設ブロックの分解斜視図である。
【図９】延設ブロックの要部分解斜視図である。
【図１０】内部構造を示すブロック内本体、連結軸、操作軸等の左側面図である。
【図１１】キー変換式錠を取り付けた施錠装置の左側面図である。
【図１２】キー変換式錠を取り付けた施錠装置の右側面図である。
【図１３】キー変換式錠を取り付けた施錠装置の正面図である。
【図１４】同施錠装置の背面図である。
【図１５】同施錠装置の使用状態を示す断面付き左側面図である。
【図１６】第２実施形態の変換式錠本体、カバー体等を外した状態の分解斜視図である。
【図１７】同実施形態の延設ブロックの分解斜視図である。
【図１８】同延設ブロックの要部分解斜視図である。
【図１９】内部構造を示すブロック内本体、連結軸、操作軸等の左側面図である。
【図２０】第３実施形態の変換式錠本体、カバー体等を外した状態の分解斜視図である。
【図２１】同実施形態の延設ブロックの分解斜視図である。
【図２２】同延設ブロックの要部分解斜視図である。
【図２３】内部構造を示すブロック内本体、連結軸、操作軸等の左側面図である。
【発明を実施するための形態】
【００２５】
以下、本発明の実施の形態を図面に基づいて説明する。図１〜図６はキー変換式錠の外観を示している。このキー変換式錠１は、基本的には、キーコードを変更して解錠キーを変換可能なシリンダ錠の変換式錠本体２を、延設ブロック１０の先端に取り付けたキー変換式錠であり、変換式錠本体２のフランジ部７の背面側に、延設ブロック１０を固定して構成される。延設ブロック１０内には、連結軸１５が変換式錠本体２の錠軸５の端部と連結させて回動可能に嵌入され、さらに操作軸１８が変換式錠本体２の操作ノブ６と係合可能に且つ押し込み摺動可能に挿入され、操作軸１８の押し込み操作により操作ノブ６を動かすように構成される。
【００２６】
変換式錠本体２は、汎用のシリンダ錠と同様な大きさの円筒形の外筒３と、その外筒３の内側に回動可能に嵌挿された内筒４と、その内筒４の先端に係合可能に外筒内に配設された錠軸５と、を備えて構成され、内筒４と外筒３には、図示を省略しているが、各々複数の貫通孔が軸方向と直角に、内筒４の貫通孔と外筒３の貫通孔は各々連通可能な位置に穿設される。
【００２７】
また、外筒３にはスペーサ供給用貫通孔が、コード設定用スペーサを供給するために穿設されている。このスペーサ供給用貫通孔は上記貫通孔に対し１８０度の角度位置に設けられる。そして、内筒４と外筒３の上記貫通孔には、各々ドライブピンとコード設定用スペーサとベースピンがコイルばねにより内側に付勢されて挿入され、スペーサ供給用貫通孔には、ドライブピンとコード設定用スペーサがコイルばねと共に挿入されている。
【００２８】
さらに、内筒４と錠軸５間にリセット用孔が穿設され、リセット用孔にはリセットピンが錠軸５と内筒４を係合させるために、操作ノブ６により移動可能に挿入される。変換操作用の操作ノブ６は、図７，８に示すように、変換式錠本体２のフランジ部７の背面に覆うように取り付けたカバー板から突出し、内側（錠軸５側）に移動可能に配設されている。フランジ部７の両端部には、取付ねじ２４の挿入用の孔が穿設される。図７のように、２本の取付ねじ２４をフランジ部７の孔に挿入し、ブロック外本体１３のフランジ取付部１３ｂに設けたねじ孔１３ｃにねじ込み、変換式錠本体２のフランジ部７の背面に延設ブロック１０が固定される。
【００２９】
変換式錠本体２は、内筒４と錠軸５間に穿設されたリセット用孔に、コイルばねと共にリセットピンが挿入され、このリセットピンを操作ノブ６によりコイルばねの付勢力に抗して押し込んだとき、リセットピンの端面が内筒４と錠軸５の境界線と一致し、この状態では内筒４に挿入した解錠キーを回すことにより、内筒４のみを（錠軸５を切り離して）回動させることができる構造となっている。そして、操作ノブ６の非操作時には、リセットピンが内筒４と錠軸５の境界線を横断して位置し、内筒４と錠軸５はリセットピンによって連結され、共に回動する。
【００３０】
解錠キーを変換する場合には、現状の解錠キーを変換式錠本体２の鍵穴に挿入し、リセット用の操作ノブ６をリセット位置つまり内側に押して移動させた状態で、そのキーを１８０度回動させる。このとき、内筒４のみが１８０度回動し、内筒４内の貫通孔が外筒３内のスペーサ供給用貫通孔と連通した状態となり、各貫通孔のコード設定用スペーサが内筒の貫通孔とスペーサ供給用貫通孔に集まる。
【００３１】
そして、現状の解錠キーを抜いて新たなキーを鍵穴に挿入すると、その新たなキーの溝の深さに応じて、コード設定用スペーサがスペーサ供給用貫通孔から内筒４の貫通孔に移動し、キーコードが新たなキーに対応したコードに変更される。この状態で、キーを元の位置に戻すように１８０度回動すれば、リセットピンが内筒４と錠軸５を連結する位置に戻り、内筒４と錠軸５が一体に回動する状態となり、解錠キーが新たなキーに変換される。
【００３２】
上記構成の変換式錠本体２におけるフランジ部７の背面側に、延設ブロック１０が取付ねじ２４により固定される。延設ブロック１０は、図７、８、９に示すように、変換式錠本体２のフランジ部７が固定されるフランジ取付部１３ｂと施錠装置の被取付部に固定される取付フランジ１３ａとを金属板により略コ字状に曲折して形成されたブロック外本体１３と、ブロック外本体１３内に嵌着される硬質合成樹脂製のブロック内本体１６とを備えて構成される。
【００３３】
ブロック外本体１３のフランジ取付部１３ｂには、図９に示す如く、フランジ部７を固定するためのねじ孔１３ｃ、操作ノブ６を内側に入れるための開口部１３ｄ、及び錠軸５を内側に入れるための開口部１３ｅが設けられる。一方、取付フランジ１３ａには、図９のように、被取付部に固定するためにねじ孔１３ｆ、操作軸１８の摘み部１８ｂを突出するための開口部１３ｇ、及び錠軸端部１５ｂを突出させるための開口部１３ｈが設けられる。
【００３４】
さらに、金属板製のブロック外本体１３の板部には、カバー体１７及びブロック内本体１６を一体的に取り付けるための取付ねじ２３用のねじ孔１３ｉが形成され、２本の取付ねじ２３によりカバー体１７及びブロック内本体１６がブロック外本体１３に対し共締めされ固定される。
【００３５】
また、硬質合成樹脂により成形されるブロック内本体１６内には、連結軸１５を収容する軸用凹部１１、及び操作軸１８を収容する操作軸用凹部１２が長手方向に沿って設けられる。また、図９のように、操作軸用凹部１２の先端側には、作動部材用凹部１２ａが設けられ、作動部材用凹部１２ａには作動部材１９が支軸１９ｂを軸に揺動可能に収容される
上記のように、延設ブロック１０のブロック外本体１３が略コ字状の金属板から形成されるので、フランジ部７が固定されるフランジ取付部１３ｂと施錠装置の被取付部に固定される取付フランジ１３ａとを強固に形成することができ、これにより、不正行為などで変換式錠本体２に加わる荷重を、ブロック外本体１３のフランジ取付部１３ｂにより保持し、補強された強固なキー変換式錠としている。また、変換式錠本体２のフランジ部７は取付ねじ２４の先端を金属板のフランジ取付部１３ｂのねじ孔１３ｃにねじ込んで取り付けるため、変換式錠本体２と延設ブロック１０とは強固に固定される。
【００３６】
図７，８のように、操作軸用凹部１２内に摺動可能に挿入される操作軸１８はその押し込み操作によって変換式錠本体２の操作ノブ６を移動させてキーの変換操作を行う軸であり、図９に示す如く、帯板状に形成される。操作軸１８の先端部に、連結軸１８ａが側方に突設され、連結軸１８ａに作動部材１９の連結孔１９ｃが嵌合してリンク結合される。作動部材１９はその支軸１９ｂを軸に揺動する。
【００３７】
操作軸１８の末端部は摘み部１８ｂとなって、取付フランジ１３ａの開口部１３ｇから背面側に突出し、操作軸１８の摘み部１８ｂを押すことにより、操作軸１８を所定のストロークだけ押し込み可能とされ、キーの変換操作を容易に可能としている。さらに、操作軸１８の中間部には、操作軸１８を戻し方向（背面側）に付勢する戻しばね２０が装着され、操作軸１８を押し込んだ後、ばね力により元の位置に戻るようになっている。
【００３８】
操作軸１８の先端にリンク結合される作動部材１９は、図９，１０に示すように、その背面側下部に支軸１９ｂが側方に突設され、作動部材１９の先端には、操作ノブ６と係合する係合凸部１９ａが突設される。作動部材１９は、ブロック内本体１６内の作動部材用凹部１２ａに設けた軸孔に、その支軸１９ｂが嵌入され、図１０に示す如く、その係合凸部１９ａを上下に揺動（回動）させるように軸支され、変換式錠本体２の操作ノブ６を押し下げてキーの変換動作を行なうことができる。上記構成より、図１０のように、操作軸１８の摘み部１８ａを所定ストロークだけ押し込むと、その先端にリンクされた作動部材１９が、その支軸１９ｂを軸に図１０の時計方向に揺動し、その先端の係合凸部１９ａが同方向に移動し、変換式錠本体２の操作ノブ６が係合凸部１９ａに押されて下方に動き、キーの変換が可能となる。
【００３９】
延設ブロック１０のブロック内本体１６の略中央には、長手方向に沿って軸用凹部１１が形成され、軸用凹部１１の内側に、上記変換式錠本体２の錠軸５の端部と連結される連結軸１５が回動可能に嵌入され、収容される。連結軸１５の先端部には連結部１５ａが異形断面を有して形成され、図７に示すように、同様異形断面の連結穴２２ａを有する連結部材２２がその連結部１５ａに連結穴２２ａを嵌合させて連結されるようになっている。連結部材２２は、図７に示すように、変換式錠本体２の背面側に突出する錠軸５の先端に、ねじ２５で固定される。
【００４０】
図９に示すように、連結軸１５の末端に、錠軸５と同様な形状の錠軸端部１５ｂが設けられ、延設ブロック１０の取付フランジ１３ａから外側に突出する錠軸端部１５ｂには、図７のように、カム部材８がねじ２６により固定される。また、連結軸１５の中間部には、図８，９に示すように、トーションばね２１が外嵌され、連結軸１５は、このトーションばね２１の付勢力により、常にもとの回動位置に戻るようになっている。
【００４１】
連結軸１５の中間部には、係合片１５ｃ（図９）が設けられ、この係合片１５ｃがトーションばね２１の両側脚部間に係合するように、トーションばね２１が連結軸１５に外嵌される。トーションばね２１の両側脚部はブロック内本体１６の内側に係合する。これにより、キー変換式錠１の通常の使用時、キー操作によってその錠軸５が回動操作され、それに応じて連結軸１５が回動したとき、トーションばね２１により元の角度位置に戻るように付勢される。このため、使用者がキーを回す力を解除すれば、連結軸１５、錠軸５、及び内筒４がトーションばね２１の付勢力により元の位置に戻される。
【００４２】
上記軸用凹部１１と操作軸用凹部１２は、その凹部に連結軸１５、操作軸１８を嵌入したとき、図７のように、その左側面に開口が生じ、その開口を閉鎖するように、カバー体１７が嵌着される。このカバー体１７は、硬質合成樹脂により成形され、軸用凹部１１内の連結軸１５と操作軸用凹部１２内の操作軸１８を回動可能に保持するように、延設ブロック１０の開口に嵌め込まれ、取付ねじ２３により締め付け固定される。
【００４３】
また、カバー体１７には、図８に示す如く、背面側端部に係合部１７ａが内側に曲折するように突設される。カバー体１７は、取付時、その係合部１７ａをブロック外本体１３の取付フランジ１３ａに設けた切欠部に嵌入させ、且つ正面側のフランジ取付部１３ｂ側からねじ１７ｂをカバー体１７にねじ込み、カバー体１７を定位置に強固に固定するようになっている。さらに、カバー体１７をブロック内本体１６に対し取り付ける取付ねじ２３の先端は、金属板製のブロック外本体１３に設けたねじ孔１３ｉにねじ込まれ、共締めにより締め付け固定されるため、カバー体１７及びブロック内本体１６が合成樹脂製であっても、強固にカバー体１７を金属製のブロック外本体１３に対し固定することができる。
【００４４】
上記のように構成されたキー変換式錠１は、例えばスロットマシンの施錠装置の基枠体３１における取付板３２に、図１１〜図１５のように取り付けられる。
【００４５】
施錠装置は、図１１〜図１５に示す如く、金属板をプレス加工して形成された縦長の基枠体３１を有し、基枠体３１は略断面Ｌ形に曲折された取付板３２と支持板３３を持ち、取付板３２の反支持板側の端部は、短い幅で外側に長手方向に沿って曲折され、取付板３２には上記キー変換式錠１の取付用の孔と複数の固定孔が穿設されている。
【００４６】
図１１，１２に示す如く、取付板３２に対し略直角に曲折された支持板３３の上部と下部近傍に幅広部が形成され、その部分に、鉤部材３５、３６が枢軸３７、３８により回動可能に軸支されている。鉤部材３５，３６は、その先端部が傾斜面を有したフック状に形成されている。
【００４７】
上下の鉤部材３５，３６は、図１２に示すように、鉛直姿勢の支持板３３に対し、各々略水平横方向に突出した状態で静止するが、このために、当接支持部３３ａが、上の鉤部材３５の元部下側に当接可能な位置に、支持板３３の一部を内側に切り起こした状態で設けられている。したがって、鉤部材３５，３６はその元部が連結杆３４を介して下側に付勢されることにより、略水平横方向に突出した状態で、その元部が当接支持部３３ａに当接し、静止する。
【００４８】
そして、鉤部材３５，３６は、そのような水平姿勢から下側に傾動可能に、枢軸３６、３７によって枢支されている。基枠体３１の支持板３３の内側に沿って帯状の連結杆３４が摺動可能に配設され、上下の鉤部材３５、３６の末端部に連結軸３９、４０を介して連結杆３４の上端と下端が連結される。したがって、連結杆３４が上方に摺動することにより、鉤部材３５、３６は下側の解錠位置に傾動する。連結杆３４にはこれを下側（施錠方向）に付勢するためのコイルばね４７が後述のスイッチ作動杆４５との間に装着されている。
【００４９】
図１２に示すように、鉤部材３５，３６を枢支した支持板３３の幅広部には、フック状の鉤部材３５，３６の係止凹部に対応した背後位置に、当接部３３ｂが設けられている。この当接部３３ｂは、図１５のように、ゲーム機の前扉５1がキャビネット５０に対し閉じられ、鉤部材３５，３６が本体枠側の受け金具５３の板状係止部５４，５５に係止したとき、その当接部３３ｂに板状係止部５４，５５が当接可能とされ、不正行為によって前扉５1が上方に持ち上げられた際、鉤部材３５，３６が下側に傾動して不正解錠される不具合を防止している。
【００５０】
取付板３２の上部と中間部と下部寄りに、山形のガイド支持部３２ａが連結杆３４をガイドするように、取付板３２の一部を内側に切り起して形成されている。連結杆３４はそのガイド支持部３２ａと支持板３３間に配設され、ガイド支持部３２ａと支持板３３により上下摺動可能にガイドされる。また、図１２のように、連結杆３４の一部に長孔３４ｂが穿設され、その長孔３４ｂにガイドピン４２が挿通されて支持板３３に固定され、連結杆３４はガイドピン４２により長手方向に摺動可能にガイドされる。また、連結杆３４の中間部には、カム部材８の係合凸部に係合可能な係合部３４ｃが形成されている。
【００５１】
さらに、取付板３２の中間部には、図１３、１４のように、キー変換式錠１を取り付けるための幅広部が形成され、その幅広部に異形孔が形成され、その孔にキー変換式錠１が背面側から挿入され、その延設ブロック１０の取付フランジ１３ａを取付板３２の内側にねじ止めして、キー変換式錠１が取付板３２上に突出して取り付けられる。さらに、図１２、図１４に示すように、支持板３３と連結杆３４との間に、スイッチ作動杆４５が摺動可能に配設される。このスイッチ作動杆４５は、キー変換式錠１によりカム部材８を左に回したとき、そのカム部材８に係合して下側に摺動し、作動スイッチ４９をオンオフ動作させるように構成される。連結杆３４とスイッチ作動杆４５の間にコイルばね４７が掛けられ、このコイルばね４７のばね力によって連結杆３４は下側に付勢され、スイッチ作動杆４５は上側に付勢されている。
【００５２】
キー変換式錠１の連結軸１５における錠軸端部１５ｂの先端に、カム部材８がねじ２６により固定される。図１４に示すように、カム部材８には２つの係合凸部が設けられ、連結杆３４の対応箇所には、一方の係合凸部と係合可能な係合部３４ｃが設けられ、スイッチ作動杆４５には他方の係合凸部と係合可能な係合凹部が設けられる。カム部材８はキー変換式錠１のキーを右に回した時、連結杆３４と係合して連結杆３４を上方に移動させ、カム部材８はキーを左に回した時、スイッチ作動杆４５と係合してこれを下方に摺動させる。
【００５３】
図１４に示すように、スイッチ作動杆４５の下端部に対向した位置の取付板３２上に、透過型の光電スイッチ、近接スイッチなどの非接触式の作動スイッチ４９が取り付けられ、キー変換式錠１を左に回し、スイッチ作動杆４５が下に移動したとき、その端部を検知してリセット信号などの信号を出力する。
【００５４】
支持板３３の下部の幅広部には、合成樹脂製のローラ４８が回転自在に軸支される。このローラ４８は、前扉５1の閉鎖時に受け金具５３に設けたローラ受け５７上を転動して前扉５1を支持する。また、図１２のように、支持板３３と反対側の取付板３２の側縁部には、縁部を直角に曲げて側壁３２ｂが形成され、これによって、基枠体３１を補強すると共に、カム部材８やその係合部分に、針金等を侵入させないようにしている。
【００５５】
このように構成された施錠装置は、図１５に示すように、ゲーム機例えばスロットマシンの前扉５１の内側に基枠体３１の取付板３２を縦に固定して装着され、ゲーム機のキャビネット５０側の対応位置に受け金具５３が取り付けられる。
【００５６】
受け金具５３は、図１５のように、縦長の基板の上部と下部に、板状係止部５４，５５を突設して形成され、板状係止部５４，５５は施錠装置側の鉤部材３５、３６の対向位置に配置される。さらに、受け金具５３の板状係止部５５の下側にはローラ受け５７が設けられる。また、受け金具５３の側部には、長尺の基板の側縁に沿った側縁部として隙間覆い部が設けられる。
【００５７】
施錠するために、前扉５1をキャビネット５０に対し閉じると、先ず、鉤部材３５，３６の傾斜面が受け金具５３の板状係止部５４，５５の端部に接触して鉤部材３５，３６が下側に傾動し、鉤部材３５，３６の係止凹部が板状係止部５４，５５に係合したとき、図１５のように、鉤部材３５，３６が上側に傾動復帰して施錠状態となる。
【００５８】
一方、前扉５1を開くために、解錠キーをキー変換式錠１に挿入し、それを右に回すと、変換式錠本体２の錠軸５及びカム部材８が同方向に回動し、カム部材８との係合により連結杆３４がコイルばね４７の付勢力に抗して上方に移動し、これにより、上下の鉤部材３５、３６が下側に傾動して、キャビネット５０側の受け金具５３の板状係止部５４，５５との係合を外し、解錠状態となる。
【００５９】
一方、ゲーム機をリセットする場合、解錠キーをキー変換式錠１に挿入し、それを左に回すと、錠軸５及びカム部材８が同方向に回動し、カム部材８との係合によりスイッチ作動杆４５がコイルばね４７の付勢力に抗して下方に移動する。このとき、作動スイッチ４９がこのスイッチ作動杆４５の下端部を検知して信号を出力し、この信号がリセット信号として送出される。
【００６０】
一方、この施錠装置の解錠キーを、新たなキーに変換する場合、現状の解錠キーを使用して前扉５１を開放し、その状態で、前扉５１の内側に指を挿入し、基枠体３１の内側の延設ブロック１０の背面に位置するリセット用の操作ノブ６に連係された操作軸１８の摘み部１８ｂを押し込む。この摘み部１８ｂの押し込みは図１０の如く僅かなストロークで行うことができる。
【００６１】
このとき、図１０に示すように、操作軸１８の軸方向の摺動により、その先端にリンクされた作動部材１９が支軸１９ｂを軸に図１０の時計方向に揺動し、その先端の係合凸部１９ａが下に振られ、変換式錠本体２の操作ノブ６が下側つまりリセット側に移動する。その状態で、解錠キーを１８０度回動させる。この操作軸１８及び操作ノブ６の動作によって、錠のリセットピンが押されて、内筒４と錠軸５の係合が解除され、内筒４のみが１８０度回動する。このとき、内筒４内の貫通孔が外筒３内のスペーサ供給用貫通孔と連通した状態となり、各貫通孔のコード設定用スペーサが内筒の貫通孔とスペーサ供給用貫通孔に集まる。
【００６２】
次に、現状の解錠キーを抜いて新たなキーを鍵穴に挿入すると、その新たなキーの溝の深さに応じて、コード設定用スペーサがスペーサ供給用貫通孔から内筒４の貫通孔に移動し、キーコードが新たなキーに対応したコードに変更される。この状態で、キーを元の位置に戻すように１８０度回動すれば、リセットピンが内筒４と錠軸５を連結する位置に戻り、内筒４と錠軸５が一体に回動する状態となり、解錠キーが新たなキーに変換される。
【００６３】
このように、汎用の変換式錠を使用しそのフランジ部の背面に延設ブロック１０を取り付けて長尺状としたキー変換式錠１であっても、延設ブロック１０の背面に操作軸１８の摘み部１８ｂを押し込み可能に突出させているため、その摘み部１８ｂを押すのみの簡単な操作で、解錠キーの変換を行なうことができる。したがって、スロットマシンのように厚さの厚い前扉をもったゲーム機でも、汎用の変換式錠を使用して低コストで施錠装置を製造することができる。
【００６４】
また、スロットマシンの厚い前扉を施錠する施錠装置のみではなく、近年のパチンコ機における厚い前面枠にも、上記キー変換式錠を有する施錠装置を使用し、解錠キーを容易に変換することができる。
【００６５】
図１６〜図１９は第２実施形態のキー変換式錠を示している。なお、上記実施形態と同様な部分については、図に上記と同じ符号を付してその説明は省略する。第２実施形態の延設ブロック６０は、先端に傾斜面６８ａを設けた操作軸６８が使用され、その操作軸６８の傾斜面６８ａに対向して先端側に、傾斜面６９ｂを設けた作動部材６９が図１９の下方に摺動可能に配設される。
【００６６】
延設ブロック６０は、図１６〜図１９に示すように、変換式錠本体２のフランジ部７が固定されるフランジ取付部６３ｂと施錠装置の被取付部に固定される取付フランジ６３ａとを金属板により略コ字状に曲折して形成されたブロック外本体６３と、ブロック外本体６３内に嵌着される硬質合成樹脂製のブロック内本体６６とを備えて構成される。
【００６７】
ブロック外本体６３のフランジ取付部６３ｂには、図１８に示す如く、フランジ部７を固定するためのねじ孔６３ｃ、操作ノブ６を内側に入れるための開口部６３ｄ、及び錠軸５を内側に入れるための開口部６３ｅが設けられる。一方、取付フランジ６３ａには、図１８のように、被取付部に固定するためにねじ孔６３ｆ、操作軸６８の摘み部６８ｂを突出するための開口部６３ｇ、及び錠軸端部１５ｂを突出させるための開口部６３ｈが設けられる。さらに、金属板製のブロック外本体６３の板部には、カバー体１７及びブロック内本体６６を一体的に取り付けるための取付ねじ２３用のねじ孔６３ｉが形成され、２本の取付ねじ２３によりカバー体１７及びブロック内本体６６をブロック外本体６３に対し固定する。
【００６８】
また、カバー体１７には、図１８に示す如く、背面側端部に係合部１７ａが内側に曲折するように突設される。カバー体１７は、取付時、その係合部１７ａをブロック外本体６３の取付フランジ６３ａに設けた切欠部に嵌入させ、且つ正面側のフランジ取付部６３ｂ側からねじ１７ｂをカバー体１７にねじ込み、カバー体１７を定位置に強固に固定するようになっている。さらに、カバー体１７をブロック内本体６６に対し取り付ける取付ねじ２３の先端は、金属板製のブロック外本体６３に設けたねじ孔６３ｉにねじ込まれ、共締めにより締め付け固定されるため、カバー体１７及びブロック内本体６６が合成樹脂製であっても、強固にカバー体１７を金属製のブロック外本体６３に対し固定することができる。
【００６９】
一方、硬質合成樹脂により成形されブロック内本体６６内には、連結軸１５を収容する軸用凹部６１、及び操作軸６８を収容する操作軸用凹部６２が長手方向に沿って設けられる。また、操作軸用凹部６２の先端側には、図１８のように、作動部材６９を摺動可能に収容する作動部材用凹部６２ａが設けられる。
【００７０】
上記のように、延設ブロック６０のブロック外本体６３が略コ字状の金属板から形成されるので、フランジ部７が固定されるフランジ取付部６３ｂと施錠装置の被取付部に固定される取付フランジ６３ａとを強固に形成することができ、これにより、不正行為などで変換式錠本体２に加わる荷重を、ブロック外本体６３のフランジ取付部６３ｂにより保持し、補強された強固なキー変換式錠としている。また、変換式錠本体２のフランジ部７は取付ねじ２４の先端を金属板のフランジ取付部６３ｂのねじ孔６３ｃにねじ込んで取り付けるため、変換式錠本体２と延設ブロック６０とは強固に固定することができる。
【００７１】
図１６，１７のように、操作軸用凹部６２内に摺動可能に挿入される操作軸６８はその押し込み操作によって変換式錠本体２の操作ノブ６を移動させてキーの変換操作を行う軸であり、図１８に示す如く、帯板状に形成される。操作軸６８の先端部に、傾斜面６８ａが形成され、その傾斜面６８ａに対向して作動部材６９が下方に摺動可能に配設される。作動部材６９には、操作軸６８の傾斜面６８ａに当接する傾斜面６９ｂが設けられる。これにより、図１９に示すように、操作軸６８を押し込むと、その先端の傾斜面６８ａが作動部材６９の傾斜面６９ｂを押し、作動部材６９は下方に摺動する構造である。
【００７２】
操作軸６８の末端部は摘み部６８ｂとなって、取付フランジ６３ａの開口部６３ｇから背面側に突出し、操作軸６８の摘み部６８ｂを押すことにより、操作軸６８を所定のストロークだけ押し込み可能とされ、キーの変換操作を容易に可能としている。さらに、作動部材６９には、戻しばね６７が装着され、操作軸１８を押し込み、作動部材６９が下降した際、ばね力により作動部材６９を元の位置に戻すように作用する。
【００７３】
作動部材６９の先端には、操作ノブ６と係合する係合凸部６９ａが突設される。作動部材６９は、ブロック内本体６６内の作動部材用凹部６２ａに配設され、図１９に示す如く、その係合凸部６９ａを下方に摺動させるように構成され、変換式錠本体２の操作ノブ６を押し下げてキーの変換動作を行なう。このように、図１９の如く、操作軸６８の摘み部６８ｂを所定ストロークだけ押し込むと、その先端の傾斜面６８ａが傾斜面６９ｂを押し、作動部材６９は下方に摺動し、その先端の係合凸部６９ａが同方向に移動し、変換式錠本体２の操作ノブ６が係合凸部６９ａに押されて下方に動き、キーの変換が可能となる。
【００７４】
上記構成の延設ブロック６０は、図１６に示す如く、変換式錠本体２のフランジ部７の背面側に、ブロック外本体６３のフランジ取付部６３ｂに対しねじ２４を用いて固定される。そのとき、錠軸５には、ねじ２５により連結部材２２が取り付けられ、その連結穴２２ａに、連結軸１５の連結部１５ａが嵌入され、錠軸５と連結軸１５が連結される。連結軸１５の錠軸端部１５ｂの先端には、カム部材８がねじ２６により固定される。
【００７５】
図１６に示すように、連結軸１５の末端に、錠軸５と同様な形状の錠軸端部１５ｂが設けられ、延設ブロック１０の取付フランジ１３ａから外側に突出する錠軸端部１５ｂには、カム部材８がねじ２６により固定される。また、連結軸１５の中間部には、図１６に示すように、トーションばね２１が外嵌され、連結軸１５は、このトーションばね２１の付勢力により、常にもとの回動位置に戻るようになっている。
【００７６】
連結軸１５の中間部には、係合片１５ｃ（図１８）が設けられ、この係合片１５ｃがトーションばね２１の両側脚部間に係合するように、トーションばね２１が連結軸１５に外嵌される。トーションばね２１の両側脚部はブロック内本体６６の内側に係合する。これにより、キー変換式錠１の通常の使用時、キー操作によってその錠軸５が回動操作され、それに応じて連結軸１５が回動したとき、トーションばね２１により元の角度位置に戻るように付勢される。このため、使用者がキーを回す力を解除すれば、連結軸１５、錠軸５、及び内筒４がトーションばね２１の付勢力により元の位置に戻される。
【００７７】
一方、延設ブロック６０を取り付けたキー変換式錠１は、上記と同様に、図１１に示す如く、施錠装置の基枠体３１の取付板３２の正面側に取り付けられるが、カム部材８を基枠体３１の取付板３２の内側に入れるように、その取付フランジ６３ａを取付板３２にねじ孔１３ｆと取付ねじを用いて固定して、キー変換式錠１は取り付けられる。
【００７８】
この施錠装置の解錠キーを、新たなキーに変換する場合、現状の解錠キーを使用して前扉５１を開放し、その状態で、前扉５１の内側に指を挿入し、基枠体３１の内側の延設ブロック６０の背面に位置するリセット用の操作ノブ６に連係された操作軸６８の摘み部６８ｂを押し込む。この摘み部６８ｂの押し込みは図１９の如く僅かなストロークで行うことができる。
【００７９】
このとき、操作軸６８が図１９の右方向に摺動し、傾斜面６８ａが傾斜面６９ｂを押すことにより、作動部材６９が図１９の下方に移動し、その先端の係合凸部６９ａが変換式錠本体２の操作ノブ６を押し下げ、リセット側に移動させる。その状態で、変換式錠本体２のキー孔に挿入した解錠キーを１８０度回動させる。この操作軸６８及び操作ノブ６の動作によって、錠のリセットピンが押されて、内筒４と錠軸５の係合が解除され、内筒４のみが１８０度回動する。このとき、内筒４内の貫通孔が外筒３内のスペーサ供給用貫通孔と連通した状態となり、各貫通孔のコード設定用スペーサが内筒の貫通孔とスペーサ供給用貫通孔に集まる。
【００８０】
次に、現状の解錠キーを抜いて新たなキーを鍵穴に挿入すると、その新たなキーの溝の深さに応じて、コード設定用スペーサがスペーサ供給用貫通孔から内筒４の貫通孔に移動し、キーコードが新たなキーに対応したコードに変更される。この状態で、キーを元の位置に戻すように１８０度回動すれば、リセットピンが内筒４と錠軸５を連結する位置に戻り、内筒４と錠軸５が一体に回動する状態となり、解錠キーが新たなキーに変換される。
【００８１】
このように、汎用の変換式錠を使用しそのフランジ部の背面に延設ブロック６０を取り付けて長尺状としたキー変換式錠１であっても、延設ブロック６０の背面に操作軸６８の摘み部６８ｂを押し込み可能に突出させているため、その摘み部６８ｂを押すのみの簡単な操作で、解錠キーの変換を行なうことができる。したがって、スロットマシンのように厚さの厚い前扉をもったゲーム機でも、汎用の変換式錠を使用して低コストで施錠装置を製造することができる。
【００８２】
図２０〜図２３は第３実施形態のキー変換式錠を示している。なお、上記実施形態と同様な部分については、図に上記と同じ符号を付してその説明は省略する。第３実施形態の延設ブロック７０は、支軸７８ｃを軸に揺動する操作軸７８が使用され、操作軸７８の先端側に作動部材７９が支軸７９ｃを軸に揺動可能に軸支され、操作軸７８の先端部が連結軸７８ａを介して作動部材７９にリンク結合される。作動部材７９は、操作軸用凹部７２の先端側に設けた作動部材用凹部７２ａ内に、支軸７９ｃを軸に上下に揺動可能に軸支され、作動部材７９の先端には係合凸部７９ａが設けられる。
【００８３】
延設ブロック７０は、図２０〜図２３に示すように、変換式錠本体２のフランジ部７が固定されるフランジ取付部７３ｂと施錠装置の被取付部に固定される取付フランジ７３ａとを金属板により略コ字状に曲折して形成されたブロック外本体７３と、ブロック外本体７３内に嵌着される硬質合成樹脂製のブロック内本体７６とを備えて構成される。
【００８４】
ブロック外本体７３のフランジ取付部７３ｂには、図２２に示す如く、フランジ部７を固定するためのねじ孔７３ｃ、操作ノブ６を内側に入れるための開口部７３ｄ、及び錠軸５を内側に入れるための開口部７３ｅが設けられる。一方、取付フランジ７３ａには、図２２のように、被取付部に固定するためにねじ孔７３ｆ、操作軸７８の摘み部７８ｂを突出するための開口部７３ｇ、及び錠軸端部１５ｂを突出させるための開口部７３ｈが設けられる。さらに、金属板製のブロック外本体７３の板部には、カバー体１７及びブロック内本体７６を一体的に取り付けるための取付ねじ２３用のねじ孔７３ｉが形成され、２本の取付ねじ２３によりカバー体１７及びブロック内本体７６をブロック外本体７３に対し固定する。
【００８５】
また、カバー体１７には、図２１に示す如く、背面側端部に係合部１７ａが内側に曲折するように突設される。カバー体１７は、取付時、その係合部１７ａをブロック外本体７３の取付フランジ７３ａに設けた切欠部に嵌入させ、且つ正面側のフランジ取付部７３ｂ側からねじ１７ｂをカバー体１７にねじ込み、カバー体１７を定位置に強固に固定するようになっている。さらに、カバー体１７をブロック内本体７６に対し取り付ける取付ねじ２３の先端は、金属板製のブロック外本体７３に設けたねじ孔７３ｉにねじ込まれ、共締めにより締め付け固定される。これにより、カバー体１７及びブロック内本体７６が合成樹脂製であっても、強固にカバー体１７を補強し、金属製のブロック外本体７３に対し固定している。
【００８６】
一方、硬質合成樹脂により成形されブロック内本体７６内には、図２２のように、連結軸１５を収容する軸用凹部７１、及び操作軸７８を収容する操作軸用凹部７２が長手方向に沿って設けられる。また、操作軸用凹部７２の先端側には、図２２のように、作動部材７９を揺動可能に収容する作動部材用凹部７２ａが設けられる。
【００８７】
上記のように、延設ブロック７０のブロック外本体７３が略コ字状の金属板から形成されるので、フランジ部７が固定されるフランジ取付部７３ｂと施錠装置の被取付部に固定される取付フランジ７３ａとを強固に形成することができ、これにより、不正行為などで変換式錠本体２に加わる荷重を、ブロック外本体７３のフランジ取付部７３ｂにより保持し、補強された強固なキー変換式錠としている。また、変換式錠本体２のフランジ部７は取付ねじ２４の先端を金属板のフランジ取付部７３ｂのねじ孔７３ｃにねじ込んで取り付けるため、変換式錠本体２と延設ブロック７０とは強固に固定することができる。
【００８８】
図２１，２２のように、操作軸用凹部７２内に揺動可能に挿入される操作軸７８は、その先端の摘み部７８ｂをスライド操作したとき、変換式錠本体２の操作ノブ６を移動させてキーの変換操作を行う軸であり、図２２に示す如く、帯板状に形成され、中間部を支軸７８ｃにより揺動可能に軸支される。
【００８９】
操作軸７８の先端部に、連結軸７８ａが突設され、連結軸７８ａにより作動部材７９がその先端に連結される。作動部材７９は支軸７９ｃを介して揺動可能に軸支され、作動部材７９の先端には係合凸部７９ａが設けられ、揺動によって係合凸部７９ａが上下動する構造である。これにより、図２３に示すように、操作軸７８の摘み部７８ｂを下方にスライド操作すると、その先端の連結軸７８ａを介して、作動部材７９がその先端の係合凸部７９ａを下降させるように揺動する。
【００９０】
操作軸７８の末端部の摘み部７８ｂは、取付フランジ７３ａの開口部７３ｇから背面側に突出し、操作軸７８の摘み部７８ｂを押し下げるようにスライド操作すると、連結軸７８ａを介して作動部材７９の先端の係合凸部７９ａが下降する。これにより、操作軸７８の先端の摘み部７８ｂを所定のストロークだけスライド操作すると、係合凸部７９ａがそれに対応したストロークだけ下降し、これにより、変換式錠本体２の操作ノブ６を下方に押し下げ、キーの変換動作を行う構造である。なお、図２３に示すように、操作軸７８の摘み部７８ｂ側に、戻しばね７７が装着され、操作軸７８を押し込み、作動部材７９の係合凸部７９ａが下降した際、ばね力により操作軸７８及び作動部材７９を元の位置に戻すように作用する。
【００９１】
このように、図２３の如く、操作軸７８の摘み部７８ｂを下方に所定ストロークだけスライド操作すると、その先端の連結軸７８ａを介して作動部材７９がその先端の係合凸部７９ａを下降させるように揺動し、これにより、変換式錠本体２の操作ノブ６が係合凸部７９ａに押し下げられ、キーの変換を可能とする構造である。
【００９２】
上記構成の延設ブロック７０は、上記と同様、図２０に示す如く、変換式錠本体２のフランジ部７の背面側に、ブロック外本体７３のフランジ取付部７３ｂに対しねじ２４を用いて固定される。そのとき、錠軸５には、ねじ２５により連結部材２２が取り付けられ、その連結穴２２ａに、連結軸１５の連結部１５ａが嵌入され、錠軸５と連結軸１５が連結される。連結軸１５の錠軸端部１５ｂの先端には、カム部材８がねじ２６により固定される。
【００９３】
また、延設ブロック７０を取り付けたキー変換式錠１は、上記と同様に、図１１に示す如く、施錠装置の基枠体３１の取付板３２の正面側に取り付けられるが、カム部材８を基枠体３１の取付板３２の内側に入れるように、その取付フランジ７３ａを取付板３２にねじ孔７３ｆと取付ねじを用いて固定して、キー変換式錠１は取り付けられる。
【００９４】
この施錠装置の解錠キーを、新たなキーに変換する場合、現状の解錠キーを使用して前扉５１を開放し、その状態で、前扉５１の内側に指を挿入し、基枠体３１の内側の延設ブロック７０の背面に位置するリセット用の操作ノブ６に連係された操作軸７８の摘み部７８ｂをスライド操作する。この摘み部７８ｂのスライド操作は図２３の如く僅かなスライド幅で行うことができる。
【００９５】
このとき、操作軸７８の先端が図の上方に振れ、連結軸７９ｂを介して、作動部材７９が揺動し、その先端の係合凸部６９ａが下方に振れて、変換式錠本体２の操作ノブ６を押し下げ、リセット側に移動させる。その状態で、変換式錠本体２のキー孔に挿入した解錠キーを１８０度回動させる。この操作軸７８及び操作ノブ６の動作によって、錠のリセットピンが押されて、内筒４と錠軸５の係合が解除され、内筒４のみが１８０度回動する。このとき、内筒４内の貫通孔が外筒３内のスペーサ供給用貫通孔と連通した状態となり、各貫通孔のコード設定用スペーサが内筒の貫通孔とスペーサ供給用貫通孔に集まる。
【００９６】
次に、現状の解錠キーを抜いて新たなキーを鍵穴に挿入すると、その新たなキーの溝の深さに応じて、コード設定用スペーサがスペーサ供給用貫通孔から内筒４の貫通孔に移動し、キーコードが新たなキーに対応したコードに変更される。この状態で、キーを元の位置に戻すように１８０度回動すれば、リセットピンが内筒４と錠軸５を連結する位置に戻り、内筒４と錠軸５が一体に回動する状態となり、解錠キーが新たなキーに変換される。
【００９７】
このように、汎用の変換式錠を使用しそのフランジ部の背面に延設ブロック７０を取り付けて長尺状としたキー変換式錠１であっても、延設ブロック７０の背面に操作軸７８の摘み部７８ｂをスライド操作可能に突出させているため、その摘み部７８ｂを押し下げて、解錠キーの変換を行なうことができる。したがって、スロットマシンのように厚さの厚い前扉をもったゲーム機でも、汎用の変換式錠を使用して低コストで施錠装置を製造することができる。
【符号の説明】
【００９８】
１      キー変換式錠
２      変換式錠本体
３      外筒
４      内筒
５      錠軸
６      操作ノブ
７      フランジ部
８      カム部材
１０    延設ブロック
１１    軸用凹部
１２    操作軸用凹部
１２ａ  作動部材用凹部
１３    ブロック外本体
１３ａ  取付フランジ
１３ｂ  フランジ取付部
１３ｃ  ねじ孔
１３ｄ  開口部
１３ｅ  開口部
１３ｆ  ねじ孔
１３ｇ  開口部
１３ｈ  開口部
１３ｉ  ねじ孔
１５    連結軸
１５ａ  連結部
１５ｂ  錠軸端部
１５ｃ  係合片
１６    ブロック内本体
１７    カバー体
１７ａ  係合部
１８    操作軸
１８ａ  連結軸
１８ｂ  摘み部
１９    作動部材
１９ａ  係合凸部
１９ｂ  支軸
１９ｃ  連結孔
２２    連結部材
２２ａ  連結穴
３１    基枠体
３２    取付板
３２ａ  ガイド支持部
３２ｂ  側壁
３３    支持板
３３ａ  当接支持部
３３ｂ  当接部
３４    連結杆
３４ｂ  長孔
３４ｃ  係合部
３５    鉤部材
３６    枢軸
３７    枢軸
３９    連結軸
４２    ガイドピン
４５    スイッチ作動杆
４８    ローラ
４９    作動スイッチ
５０    キャビネット
５１    前扉
５３    受け金具
５４    板状係止部
５５    板状係止部
【図１】
2015093084.tif 000003
【図２】
2015093084.tif 000004
【図３】
2015093084.tif 000005
【図４】
2015093084.tif 000006
【図５】
2015093084.tif 000007
【図６】
2015093084.tif 000008
【図７】
2015093084.tif 000009
【図８】
2015093084.tif 000010
【図９】
2015093084.tif 000011
【図１０】
2015093084.tif 000012
【図１１】
2015093084.tif 000013
【図１２】
2015093084.tif 000014
【図１３】
2015093084.tif 000015
【図１４】
2015093084.tif 000016
【図１５】
2015093084.tif 000017
【図１６】
2015093084.tif 000018
【図１７】
2015093084.tif 000019
【図１８】
2015093084.tif 000020
【図１９】
2015093084.tif 000021
【図２０】
2015093084.tif 000022
【図２１】
2015093084.tif 000023
【図２２】
2015093084.tif 000024
【図２３】
2015093084.tif 000025